(57)【特許請求の範囲】
【請求項１】
集合した複数の被撮影者の連続撮影を指示する指示手段と、前記指示手段からの指示により撮影された複数の撮影画像を表示する表示手段と、
前記表示手段に表示される複数の撮影画像から部分画像を選択するための入力手段と、
選択された前記部分画像を抽出する抽出手段と、
抽出された部分画像を基準となる合成画像の指定された部分に合成する合成手段と、
を有する撮影装置。
【請求項２】
被撮影者毎に設けられ、かつ集合した複数の被撮影者の撮影を遠隔指示する複数の遠隔指示手段と、
複数の前記遠隔指示手段による遠隔指示により撮影された複数の撮影画像から部分画像を選択するための入力手段と、
選択された前記部分画像を抽出する抽出手段と、
抽出された複数の部分画像を、基準となる合成画像の対応する部分に合成する合成手段と、
を有する撮影装置。
【請求項３】
集合した複数の被撮影者の全体を撮影する第１の撮影手段と、
前記複数の被撮影者の顔部分を撮影する複数の第２の撮影手段と、
前記顔部分の部分画像を、前記全体の画像の対応する部分に合成する合成手段と、
を有する撮影装置。
【請求項４】
集合した複数の被撮影者を連続撮影し、
連続撮影された撮影画像を表示し、
表示される複数の撮影画像から部分画像を選択し、
選択された前記部分画像を抽出し、
抽出された部分画像を、基準となる合成画像の指定された部分に合成することにより集合写真画像を形成する集合写真画像の形成方法。
【請求項５】
集合した複数の被撮影者を、該被撮影者各々の指示に応じて撮影し、
被撮影者の指示に応じて撮影された撮影画像から部分画像を選択し、
選択された前記部分画像を抽出し、
抽出された部分画像を、基準となる合成画像の対応する部分に合成することにより集合写真画像を形成する集合写真画像の形成方法。
【請求項６】
集合した複数の被撮影者の全体と複数の前記被撮影者の顔部分とを各々撮影し、
前記顔部分の部分画像を、前記全体の画像の対応する部分に合成することにより集合写真画像を形成する集合写真画像の形成方法。
【発明の詳細な説明】
【０００１】
【発明の属する技術分野】
本発明は撮影装置及び集合写真画像の形成方法に係り、特に、集合した複数の被撮影者を撮影する撮影装置及び集合写真画像の形成方法に関する。
【０００２】
【従来の技術】
従来、記念写真やスクール写真等の集合写真のように被写体が複数集合した場合の撮影を写真スタジオ等で行う場合、被撮影者全員がある程度満足する写真を撮影するために複数回撮影を行い、その中で最適と思われる写真を選択していた。
【０００３】
しかしながら、被撮影者のうち数人が満足する写真を選択することは可能であっても、被撮影者全員が満足する写真を選択するのは困難であり、何度も撮影し直さなければならない、という問題があった。
【０００４】
この問題を解決するため、カメラの向きとほぼ直交する方向へ移動する姿見を設けることにより、ひな壇上の被撮影者が、撮影の直前まで自分の容姿や服装の乱れをチェックすることができる写真撮影スタジオが提案されている（特許第２５０５３８８号公報）
【０００５】
【発明が解決しようとする課題】
しかしながら、上記従来技術では、直前に自分の容姿や服装の乱れをチェックすることはできても、例えば撮影の瞬間に表情が崩れてしまった場合等には結局撮影し直さなければならず、被撮影者全員が満足する写真を撮影するのは非常に困難であるという問題があった。
【０００６】
本発明は、上記問題を解決すべく成されたものであり、被撮影者全員が満足する写真を撮影することができる撮影装置及び集合写真画像の形成方法を提供することが目的である。
【０００７】
【課題を解決するための手段】
上記目的を達成するために、請求項１記載の発明は、集合した複数の被撮影者の連続撮影を指示する指示手段と、前記指示手段からの指示により撮影された複数の撮影画像を表示する表示手段と、前記表示手段に表示される複数の撮影画像から部分画像を選択するための入力手段と、選択された前記部分画像を抽出する抽出手段と、抽出された部分画像を基準となる合成画像の指定された部分に合成する合成手段と、を有することを特徴としている。
【０００８】
指示手段は、集合した複数の被撮影者の撮影、例えば結婚式での集合写真や団体旅行での記念写真の連続撮影を指示する。表示手段は、指示手段からの指示により撮影された複数の撮影画像、すなわち、集合した複数の被撮影者の画像を表示する。画像の表示は、複数の撮影画像を一度に表示してもよいし、切り替えて１画面ずつ表示するようにしてもよい。
【０００９】
デジタルカメラの場合の撮影は、例えば所定のタイミングでシャッタを切り、シャッタが開いた時間だけレンズを透過した光がＣＣＤ等の撮像装置に電荷として蓄積されることにより行われる。この蓄積された電荷が被写体像を示す画像信号になる。
【００１０】
入力手段は、表示手段に表示される複数の撮影画像から部分画像を選択するためのものであり、この入力手段により、例えば各被撮影者が表示手段に表示される複数の撮影画像を見て最も好みの撮影画像を選択し、該選択した撮影画像から自分が写っている部分の部分画像（例えば顔）を選択することができる。
【００１１】
抽出手段は、撮影画像から選択された部分の部分画像、例えば顔部分の画像を抽出する。例えば、選択された部分の周辺の画像に対してエッジ検出処理を行うことにより、被撮影者の顔部分の輪郭線を検出し、この輪郭線で囲まれた部分を部分画像として抽出する。なお、胴体部分まで含めた部分画像を抽出してもよい。また、胴体部分まで含めた部分画像を抽出した後、顔部分の部分画像を抽出してもよい。
【００１２】
合成手段は、抽出された部分画像を基準となる合成画像の指定された部分、例えば、入力手段により選択された部分画像の位置に合成する。このとき、各部分画像のエッジを若干ぼかすようにして合成してもよい。これにより、より自然な合成画像を得ることができる。また、赤目が発生している場合には、合成する際に必要に応じて赤目軽減補正を行うようにしてもよい。
【００１３】
このように、各被撮影者が最適な画像を選択することができると共に、選択された画像を合成することができるため、被撮影者全員が満足する集合写真画像を得ることができる。また、撮影を連続撮影としているため、それぞれの撮影画像における被写体のぶれが少なくなり、より自然な合成画像を得ることができる。
【００１４】
請求項２記載の発明は、被撮影者毎に設けられ、かつ集合した複数の被撮影者の撮影を遠隔指示する複数の遠隔指示手段と、複数の前記遠隔指示手段による遠隔指示により撮影された複数の撮影画像から部分画像を選択するための入力手段と、選択された前記部分画像を抽出する抽出手段と、抽出された複数の部分画像を、基準となる合成画像の対応する部分に合成する合成手段と、を有することを特徴としている。
【００１５】
遠隔指示手段は、集合した複数の被撮影者の撮影を遠隔指示する。また、この遠隔指示手段は、被撮影者毎に複数設けられている。
【００１６】
入力手段は、複数の遠隔指示手段による遠隔指示により撮影された複数の撮影画像から部分画像を選択するためのものである。この場合、例えば撮影画像をＬＣＤ等の表示手段に表示させ、各被撮影者が前記表示手段に表示される複数の撮影画像を見て最も好みの撮影画像を入力手段により選択させ、該選択した撮影画像から自分が写っている部分の部分画像を選択させるようにすることができる。
【００１７】
また、部分画像の選択を自動的に行うようにしてもよい。例えば、遠隔指示が遠隔指示手段によって各々異なるようにすると共に、被撮影者の位置に応じて使用する遠隔指示手段を予め定めておくことで、遠隔指示に対応する被撮影者の位置を検出することができる。そして、検出した位置から部分画像（例えば、顔）の位置を推定する。
【００１８】
抽出手段は、撮影画像から選択された部分の部分画像を抽出する。例えば、選択された部分の周辺の画像に対してエッジ検出処理を行うことにより、被撮影者の輪郭線を検出し、この輪郭線で囲まれた部分の画像を抽出する。
【００１９】
合成手段は、抽出された部分画像を基準となる合成画像の対応する部分に合成する。このとき、各部分画像のエッジを若干ぼかすようにして合成してもよい。これにより、より自然な合成画像を得ることができる。
【００２０】
このように、各被撮影者がそれぞれ最適なタイミングで遠隔指示手段により撮影の指示をすることができ、該撮影した各撮影画像から各被撮影者の部分画像を抽出して合成するため、被撮影者全員が満足する写真を得ることができる。また、部分画像を自動的に抽出し、自動的に合成写真を得るようにすれば、撮影からプリントするまでの時間を短縮することができる。
【００２１】
請求項３記載の発明は、集合した複数の被撮影者の全体を撮影する第１の撮影手段と、前記複数の被撮影者の顔部分を各々撮影する複数の第２の撮影手段と、前記顔部分の部分画像を、前記全体の画像の対応する部分に合成する合成手段と、を有することを特徴としている。
【００２２】
第１の撮影手段は、集合した複数の被撮影者の全体を撮影する。第２の撮影手段は、複数の被撮影者の顔部分を各々撮影する。また、第２の撮影手段は、複数設けられ、例えば被撮影者の数分設けられる。
【００２３】
合成手段は、顔部分の部分画像を全体の画像の対応する部分に合成する。このとき、顔部分の部分画像のエッジを若干ぼかして合成するようにしてもよい。また、第２の撮影手段は顔部分だけ撮影するため、解像度が高い顔部分の部分画像を得ることができる。従って、赤目軽減補正等の補正処理を精度よく行うことができる。また、全体の画像を予め定めた画像とすれば、被撮影者全員が集まることができない場合でも各々の顔部分の撮影を別々に行い、これらを後で合成することにより集合写真画像を形成することができる。
【００２４】
請求項４記載の発明は、集合した複数の被撮影者を連続撮影し、連続撮影された撮影画像を表示し、表示される複数の撮影画像から部分画像を選択し、選択された前記部分画像を抽出し、抽出された部分画像を、基準となる合成画像の指定された部分に合成することにより集合写真画像を形成することを特徴としている。
【００２５】
まず、集合した複数の被撮影者、例えば結婚式での集合写真や団体旅行での記念写真の連続撮影を行う。そして、連続撮影した撮影画像を例えばＬＣＤ等の表示手段に表示する。撮影画像の表示は、複数の撮影画像を一度に表示してもよいし、切り替えて表示するようにしてもよい。
【００２６】
撮影は、前述したように例えば所定のタイミングでシャッタを切り、シャッタが開いた時間だけレンズを透過した光がＣＣＤ等の撮像装置に電荷として蓄積されることにより行われる。この蓄積された電荷が被写体像を示す画像信号になる。
【００２７】
そして、表示される複数の撮影画像から部分画像を選択する。例えば各被撮影者が表示される複数の撮影画像を見て最も好みの撮影画像を選択し、該選択した撮影画像から自分が写っている部分の部分画像を選択する。
【００２８】
次に、撮影画像から選択された部分の部分画像を抽出する。例えば、選択された部分の周辺の画像に対してエッジ検出処理を行うことにより、被撮影者の輪郭線を検出し、この輪郭線で囲まれた部分の画像を抽出する。
【００２９】
次に、抽出された部分画像を基準となる合成画像の指定された部分に合成する。このとき、各部分画像のエッジを若干ぼかすようにして合成してもよい。これにより、より自然な合成画像を得ることができる。また、合成する際に必要に応じて赤目軽減補正を行うようにしてもよい。
【００３０】
このように、各被撮影者が最適な画像を選択することができると共に、選択された画像を合成することができるため、被撮影者全員が満足する集合写真画像を形成することができる。また、撮影を連続撮影としているため、それぞれの撮影画像における被写体のぶれが少なくなり、より自然な合成画像を得ることができる。
【００３１】
請求項５記載の発明は、集合した複数の被撮影者を、該被撮影者各々の指示に応じて撮影し、被撮影者の指示に応じて撮影された撮影画像から部分画像を選択し、選択された前記部分画像を抽出し、抽出された部分画像を、基準となる合成画像の対応する部分に合成することにより集合写真画像を形成することを特徴としている。
【００３２】
まず、集合した複数の被撮影者を、該被撮影者の指示に応じて撮影する。すなわち、被撮影者がそれぞれ最適なタイミングで撮影を行う。そして、撮影された複数の撮影画像から部分画像を選択する。この場合、例えば撮影画像をＬＣＤ等の表示手段に表示させ、各被撮影者が前記表示手段に表示される複数の撮影画像を見て最も好みの撮影画像を入力手段により選択させ、該選択した撮影画像から自分が写っている部分の部分画像を選択させるようにすることができる。
【００３３】
次に、撮影画像から選択された部分の部分画像を、エッジ検出処理等を行うことにより抽出する。
【００３４】
そして、抽出された部分画像を基準となる合成画像の指定された部分に合成する。このとき、各部分画像のエッジを若干ぼかすようにして合成してもよい。これにより、より自然な合成画像を得ることができる。また、合成する際に必要に応じて赤目軽減補正を行うようにしてもよい。
【００３５】
このように、各被撮影者がそれぞれ最適なタイミングで遠隔指示手段により撮影の指示をすることができ、該撮影した各撮影画像から各被撮影者の部分画像を抽出して合成するため、被撮影者全員が満足する写真を得ることができる。また、自動的に合成写真を得ることができるため、撮影からプリントするまでの時間を短縮することができる。
【００３６】
請求項６記載の発明は、集合した複数の被撮影者の全体と複数の前記被撮影者の顔部分とを各々撮影し、前記顔部分の画像を、前記全体の画像の対応する部分に合成することにより集合写真画像を形成することを特徴としている。
【００３７】
まず、集合した複数の被撮影者の全体と複数の被撮影者の顔部分とを各々撮影する。そして、顔部分の画像を、全体の画像の対応する部分に合成する。このとき、顔部分の部分画像のエッジを若干ぼかして合成するようにしてもよい。また、被撮影者の顔の部分だけ撮影するため、解像度が高い顔部分の部分画像を得ることができる。従って、赤目軽減補正等の補正処理を精度よく行うことができる。また、全体の画像を予め定めた画像とすれば、被撮影者全員が集まることができない場合でも各々の顔部分の撮影を別々に行い、これらを後で合成することにより集合写真画像を得ることができる。
【００３８】
【発明の実施の形態】
［第１の実施の形態］
以下、図面を参照して本発明の第１の実施の形態を詳細に説明する。
【００３９】
図２（Ａ）には、本発明が適用された撮影装置としてのデジタルカメラ１０の正面図が、図２（Ｂ）にはデジタルカメラ１０の背面図が示されている。また、図２（Ｃ）には、デジタルカメラ１０を遠隔操作するためのリモコン７０の外観が示されている。図２（Ａ）に示すように、デジタルカメラ１０は、シャッタボタン１２、レンズ１４、ストロボ１６、メモリーカード１８に撮影した画像を記録するためのメモリーカードドライブ２０、リモコン７０からの操作信号（本実施の形態では赤外線信号とする）を受信するための受光部２２を備えている。また、図２（Ｂ）に示すように、デジタルカメラ１０の背面には撮影した画像の表示及び各種操作を行うためのタッチパネル５８が設けられている。
【００４０】
一方、リモコン７０はデジタルカメラ１０を遠隔操作で撮影するためのレリーズボタン７２、レリーズボタン７２を押下したときに操作信号を赤外線信号で送信する投光部７６を備えている。
【００４１】
図１には、デジタルカメラ１０のブロック図が示されている。図１に示すように、デジタルカメラ１０は制御部２４を備えている。制御部２４には、駆動回路２６が接続されている。駆動回路２６には、レンズ１４、ストロボ１６、シャッタ３２、絞り３４、及び撮像デバイス３６が接続されている。撮像デバイス３６は、例えばＣＣＤ等の撮像素子を含んで構成される。
【００４２】
制御部２４では、測距部３８により測定された被写体との距離に基づいてオートフォーカス（ＡＦ）制御値を定めて駆動回路２６へ出力する。駆動回路２６では、ＡＦ制御値に基づいてレンズ１４を駆動させ、自動的に焦点調整を行う。
【００４３】
また、制御部２４では、測光部４０により測定された測光値に基づいて露光制御値、例えば絞り値（絞りの開口量）やシャッタスピード、ストロボ１６により発光させるか否か等を定めて駆動回路２６へ出力する。そして、シャッタボタン１２が押下されると、駆動回路２６では、露光制御値に基づいてシャッタ３２や絞り３４、ストロボ１６、撮像デバイス３６を駆動させ、レンズ１４を透過した被写体像を撮影する。
【００４４】
撮像デバイス３６のＣＣＤには、露光制御値に応じて入射する光の光量に対応した電荷が蓄積される。蓄積された電荷、すなわち画像信号は、アナログ信号処理部４６へ出力される。
【００４５】
アナログ信号処理部４６では、入力された画像信号に所定のアナログ信号処理（例えばノイズ低減処理）を施し、Ａ／Ｄ変換部４８へ出力する。Ａ／Ｄ変換部４８では、入力されたアナログ信号をデジタル信号に変換してデジタル信号処理部５０へ出力する。デジタル信号処理部５０では、入力されたデジタル信号に所定のデジタル信号処理（例えばシェーディング補正処理）を施し、画像データとしてメモリ５４へ出力する。また、メモリ５４に出力された画像データの画像はタッチパネル５８に表示することができる。タッチパネル５８には、画像の他にも、矢印ボタン６６、決定ボタン６７、終了ボタン６８が表示される。
【００４６】
なお、デジタルカメラ１０は、操作ボタン６４で所定の操作を行うことにより、集合写真モードに設定することができる。この場合、シャッタボタン１２を１回押下するだけで比較的短い所定時間間隔で連続撮影することができる連写モードになる。
【００４７】
連写モードで撮影した画像は、例えばタッチパネル５８に表示された矢印ボタン６６を操作することにより順次切り替えて表示することができる。タッチパネル５８は、指８０等で触れた場所の座標値を制御部２４へ出力するようになっている。制御部２４では、この座標値に基づいて処理を行う。例えば、タッチパネル５８に表示された矢印ボタン６６を指８０で触れると、触れた部分の座標値が制御部２４へ出力される。制御部２４では、この座標値が予め定めた矢印ボタン６６が表示されている領域の座標であるか否かを判断し、矢印ボタン６６が押下されたと判断した場合には、表示されている画像を別の画像に切り替える。
【００４８】
また、制御部２４には、画像処理部６０が接続されている。画像処理部６０は、例えば図３に示すように被撮影者８１〜８７の集合写真を撮影した場合において、指８０で触れた部分の被撮影者８４の画像を抽出することができる。具体的には、例えば指８０で抽出したい部分の画像に触れると、タッチパネル５８から出力された座標値が画像処理部６０に出力され、画像処理部６０では、この座標値付近の画像に対してエッジ検出を行うことにより被撮影者の輪郭を検出し、被撮影者のみの画像を抽出する。そして、抽出した部分の画像、すなわち被撮影者のみの画像を強調してタッチパネル５８に表示させる。
【００４９】
そして、被撮影者が決定ボタン６７を押下すると、抽出された部分画像が確定し、メモリ５４に一旦記憶される。そして、被撮影者が連写した複数の撮影画像から各被撮影者８１〜８７が最も好みの部分画像を選択（指８０で触れる）して決定ボタン６７を押下し、最後に終了ボタン６８が押下されると、画像処理部６０では、メモリ５４に記憶された各々の部分画像の合成を行う。これにより、各被撮影者の好みの部分画像が合成され、被撮影者全員が満足する写真が得られる。
【００５０】
また、デジタルカメラ１０では、操作ボタン６４により所定の操作を行うことにより撮影した画像をメモリカード１８へ記憶させることができる。この場合、メモリ５４に記憶された画像データは圧縮伸張部５６へ出力され、該圧縮伸張部５６において所定の画像圧縮処理（例えばＪＰＥＧ処理）が行われる。圧縮された画像データはメモリカードドライブ２０に出力され、メモリカード１８に書き込まれる。
【００５１】
なお、デジタルカメラ１０では、メモリカード１８に記憶された圧縮画像データを読み出すこともできる。この場合、メモリカード１８から読み出された圧縮画像データは圧縮伸張部５６へ出力され、該圧縮伸張部５６において伸張処理が施される。これにより、圧縮画像から元の画像に戻される。伸張処理された画像は、タッチパネル５８に表示することができる。
【００５２】
また、制御部２４には、受光部２２が接続されている。受光部２２は、リモコン７０から送信された操作信号を受信する。制御部２４では、この操作信号を受信した場合には、デジタルカメラ１０のシャッタボタン１２が押下された時と同じ動作を行い、被写体の撮影を行う。
【００５３】
次に、本実施の形態の作用として、制御部２４において実行される制御ルーチンについて図４に示すフローチャートを参照して説明する。なお、以下では、図示しない写真スタジオにおいて集合写真を撮影する場合を例に説明する。
【００５４】
まず、図示しない写真スタジオにセットされたデジタルカメラ１０の制御部２４では、ステップ１００でシャッタボタン１２が押下されたか否かを判断する。そして、シャッタボタン１２が押下されていない場合にはステップ１００で否定され、ステップ１０２で操作信号を受信したか否か、すなわち、リモコン７０のレリーズボタン７２が押下されたか否かを判断する。
【００５５】
シャッタボタン１２が押下された場合、及び操作信号を受信した場合、すなわちレリーズボタン７２が押下された場合は、ステップ１０４で集合写真モードか否か、すなわち連写モードか否かを判断する。連写モードでない場合はステップ１０４で否定され、ステップ１０６で通常の撮影処理を行う。
【００５６】
すなわち、測距部３８により測定された被写体との距離に基づいて定めたＡＦ制御及び測光部４０により測定された測光値に基づいて定めた露光制御値を駆動回路２６へ出力する。駆動回路２６では、ＡＦ制御値及び露光制御値に基づいてシャッタ３２や絞り３４、ストロボ１６、撮像デバイス３６を駆動させ、レンズ１４を透過した被写体像を撮影する。
【００５７】
そして、撮像デバイス３６のＣＣＤに蓄積された電荷、すなわち画像信号がアナログ信号処理部４６へ出力される。出力された画像信号は、アナログ信号処理部４６で所定のアナログ信号処理が施され、Ａ／Ｄ変換部４８でアナログ信号からデジタル信号に変換される。デジタル信号に変換された画像信号は、デジタル信号処理部５０で所定のデジタル信号処理が施され、画像データとしてメモリ５４へ出力される。
【００５８】
一方、連写モードの場合にはステップ１０４で肯定され、ステップ１０８で連写撮影を行う。すなわち、短い時間間隔でシャッタ３２を切り、複数回（例えば５回）連続して撮影処理を行う。これにより、図５に示すように複数の撮影画像９０Ａ〜９０Ｅが得られ、メモリ５４に記憶される。
【００５９】
そして、ステップ１１０において連写撮影した撮影画像のうち最初に撮影した画像９０Ａをメモリ５４から読み込んでタッチパネル５８に表示させる。そして、ステップ１１２で部分画像が選択されたか否か、すなわち、図３に示すように被撮影者がタッチパネル５８に表示された画像の一部（例えば、顔）を指８０で触れたか否かを判断する。
【００６０】
部分画像が選択された場合、すなわち指８０でタッチパネル５８を触れていた場合はステップ１１２で肯定され、ステップ１１４で指８０で触れた部分の部分画像（例えば、顔）を抽出する。具体的には、制御部２４が指８０で触れた場所の座標値を画像処理部６０へ出力する。画像処理部６０では、この座標値周辺の画像に対してエッジ検出処理を行い、指８０で触れた部分に写っている被撮影者の輪郭線を検出し、この輪郭線で囲まれた部分の画像を部分画像として抽出する。そして、制御部２４は抽出した部分画像をタッチパネル５８に強調して表示させる。
【００６１】
一方、部分画像が選択されていない場合、すなわち指８０でタッチパネル５８を触れていない場合はステップ１１２で否定され、ステップ１１６で矢印ボタン６６が押下されたか否かを判断する。矢印ボタン６６が押下された場合には、ステップ１１６で肯定され、ステップ１１８でタッチパネル５８に表示されている撮影画像９０Ａを次に撮影された撮影画像９０Ｂに切り替える。
【００６２】
矢印ボタン６６が押下されていない場合には、ステップ１１６で否定され、ステップ１２０で決定ボタン６７が押下されたか否かを判断する。矢印ボタン６７が押下されたと判断した場合には、ステップ１２０で肯定され、ステップ１２２でステップ１１４で抽出した部分画像及び指８０で触れた部分の座標値をメモリ５４に記憶する。
【００６３】
矢印ボタン６７が押下されていない場合には、ステップ１２０で否定され、ステップ１２４で終了ボタン６８が押下されたか否かを判断する。終了ボタン６８が押下されていない場合にはステップ１２４で否定され、ステップ１１２へ戻って上記と同様の処理を行う。
【００６４】
終了ボタン６８が押下された場合には、ステップ１２４で肯定され、ステップ１２６でメモリ５４に記憶された部分画像の画像合成を画像処理部６０に指示する。これにより、画像処理部６０は、メモリ５４から順次部分画像及び指８０で触れた部分の座標値を読み出し、該部分画像を基準となる合成画像の指定された部分、すなわち、メモリ５４から読み出した座標値に対応する部分に合成する。これにより、元々写っていた位置に自分の部分画像が合成される。なお、基準となる合成画像は、各撮影画像のうちの何れか１つを選べばよい。
【００６５】
そして、合成された画像は、ステップ１２８でメモリ５４に記憶される。そして、合成した画像を例えばメモリカードドライブ２０によりメモリカード１８に記憶させ、このメモリカード１８に記憶された画像を図示しないプリント装置によりプリントする。
【００６６】
このようにして、被撮影者８１〜８７の各自がタッチパネル５８に表示される撮影画像９０Ａ〜９０Ｅを適宜切り替ながら確認し、最も好みの画像を選択する。例えば、図１０（Ａ）に示すような口が少し開いた撮影画像は選択せず、図１０（Ｂ）に示すように口が閉まった撮影画像を選択する。このようにして各自が最も好みの撮影画像を選択し、選択された画像から部分画像を抽出して合成することにより、図５に示すような合成画像９２が得られる。図５の場合では、被撮影者８１は撮影画像９０Ｂを、被撮影者８２は撮影画像９０Ｃを、被撮影者８３は撮影画像９０Ｂを、被撮影者８４は撮影画像９０Ｅを、被撮影者８５は撮影画像９０Ａを、被撮影者８６は撮影画像９０Ｂの画像を、被撮影者８７は撮影画像９０Ｂをそれぞれ選択している。なお、合成する際に、部分画像のエッジ又は基準となる合成画像の前記部分画像が合成される部分のエッジを若干ぼかし気味にして合成するようにしてもよく、双方をぼかし気味にして合成するようにしてもよい。また、部分画像が基準となる合成画像に透け込むように合成したり、とけ込むように合成するようにしてもよい。このようにすることで、より自然な合成画像を得ることができる。また、合成する際に赤目軽減等の画像処理を施してもよい。さらに、顔部分を抽出して合成する際には、図１１に示すように、顔の表情部分のみを抽出して合成するようにしてもよい。
【００６７】
このように、被撮影者が複数の撮影画像から最も好みの撮影画像を選択することができるため、被撮影者全員が満足する写真画像を得ることができる。また、撮影画像９０Ａ〜９０Ｅは連写撮影した画像のため、それぞれの撮影画像における被撮影者のぶれが少ない。従って、合成した画像に違和感が発生するのを防ぐことができる。
【００６８】
なお、顔全体の部分画像でなく、顔の中心部又は一部の部分画像を抽出して基準となる合成画像に合成してもよい。また、胴体まで含めた部分画像を抽出し、この部分画像を基準となる合成画像に合成してもよい。また、デジタルカメラ１０に設けたタッチパネル５８に撮影画像を表示するのではなく、別に設けたモニタに撮影画像を表示し、マウスやキーボード等による操作で部分画像を選択して合成するようにしてもよい。
［第２の実施の形態］
以下、図面を参照して第２の実施の形態を詳細に説明する。
【００６９】
第２の実施の形態では、被撮影者全員（本実施の形態では一例として７人とする）がリモコン７０Ａ〜７０Ｇを持ち、各自がそれぞれレリーズボタン７２を押下することにより各自撮影する。なお、第１の実施の形態におけるデジタルカメラ１０及びリモコン７０と同一部分には同一符号を付し、その詳細な説明は省略する。
【００７０】
第２の実施の形態では、被撮影者が立つ位置は予め定められており、この立つ位置に応じて使用するリモコン７０Ａ〜７０Ｇも決められている。例えば、図５に示すように被撮影者８１〜８７が並んだ場合、被撮影者８１はリモコン７０Ａを、被撮影者８２はリモコン７０Ｂを、被撮影者８３はリモコン７０Ｃを、被撮影者８４はリモコン７０Ｄを、被撮影者８５はリモコン７０Ｅを、被撮影者８６はリモコン７０Ｆを、被撮影者８７はリモコン７０Ｇをそれぞれ使用する。
【００７１】
そして、各リモコン７０が送信する操作信号のコード、すなわちリモコンコードは各々異なっている。そして、デジタルカメラ１０のメモリ５４には、このリモコンコードと被撮影者の位置、例えば顔の部分や胴体の一部分の位置を示す位置データとが対応つけられたテーブルデータが記憶されている。なお、位置データは、例えば座標値として表される。従って、デジタルカメラ１０では、テーブルデータを参照することによりどの位置から操作信号が送信されたかを把握することができる。
【００７２】
次に、第２の実施の形態の作用を説明する。
【００７３】
図６には、制御部２４において実行される制御ルーチンのフローチャートが示されている。
【００７４】
まず、図示しない写真スタジオにセットされたデジタルカメラ１０の制御部２４では、ステップ２００で操作信号を受信したか否か、すなわち、被撮影者８１〜８７の何れかがリモコン７０のレリーズボタン７２を押下したか否かを判断する。そして、操作信号を受信した場合は、ステップ２００で肯定され、ステップ２０４で撮影処理が行われる。
【００７５】
すなわち、測距部３８により測定された被写体との距離に基づいて定めたＡＦ制御及び測光部４０により測定された測光値に基づいて定めた露光制御値を駆動回路２６へ出力する。駆動回路２６では、ＡＦ制御値及び露光制御値に基づいてシャッタ３２や絞り３４、ストロボ１６、撮像デバイス３６を駆動させ、レンズ１４を透過した被写体像を撮影する。
【００７６】
そして、撮像デバイス３６のＣＣＤに蓄積された電荷、すなわち画像信号がアナログ信号処理部４６へ出力される。出力された画像信号は、アナログ信号処理部４６で所定のアナログ信号処理が施され、Ａ／Ｄ変換部４８でアナログ信号からデジタル信号に変換される。デジタル信号に変換された画像信号は、デジタル信号処理部５０で所定のデジタル信号処理が施され、画像データとしてメモリ５４へ出力される。
【００７７】
次のステップ２０６では、集合写真モードか否かを判断する。集合写真モードでない場合はステップ２０６で否定され、ステップ２００へ戻る。一方、集合写真モードの場合にはステップ２０６で肯定され、ステップ２０８で受信した操作信号に対応する被撮影者の画像を撮影した画像から抽出する。
【００７８】
具体的には、受信した操作信号のリモコンコードに対応する被撮影者の位置データ、例えば座標値をメモリ５４に記憶されたテーブルデータから読み出し、この座標値を画像処理部６０へ出力する。画像処理部６０では、この座標値周辺の画像に対してエッジ検出処理を行い、レリーズボタン７２を押下した被撮影者の輪郭線（例えば顔の輪郭線）を検出し、この輪郭線で囲まれた部分の画像を抽出する。そして、画像処理部６０は、抽出した画像を制御部２４へ出力する。
【００７９】
制御部２４では、ステップ２１０において、画像処理部６０から出力された部分画像をメモリ５４へ記憶させる。そして、ステップ２１２で撮影が終了したか否かを判断する。
【００８０】
この判断は、具体的には以下のようにして行う。例えば被撮影者の数、すなわちレリーズボタン７２が押下される回数をデジタルカメラ１０のメモリ５４に予め記憶させておいて、操作信号を受信する毎にカウントアップし、カウント値が被撮影者の数と一致した場合にすべての撮影が終了したと判断する。これにより、自動的に撮影が終了したことを判断することができる。また、操作ボタン６４により所定の操作が成された場合、又は終了を示すリモコンコードを予め定めておき、受信した操作信号のリモコンコードが前記終了を示すリモコンコードだった場合を撮影終了として判断するようにしてもよい。
【００８１】
撮影終了と判断されなかった場合には、ステップ２１２で否定され、ステップ２００へ戻って次の撮影が行われるまで待機する。撮影終了と判断された場合にはステップ２１２で肯定され、ステップ２１４でメモリ５４に記憶された部分画像の画像合成を画像処理部６０に指示する。これにより、画像処理部６０は、メモリ５４から順次部分画像及びリモコンコードに対応する座標値を読み出し、該部分画像を基準となる合成画像の対応する部分、すなわち、該部分画像を基準となる合成画像の指定された部分、すなわち、メモリ５４から読み出した座標値に対応する部分に合成する。これにより、元々写っていた位置に自分の部分画像が合成される。なお、基準となる合成画像は、各撮影画像のうちの何れか１つを選べばよい。
【００８２】
そして、合成された画像は、ステップ２１６でメモリ５４に記憶される。そして、合成した画像を例えばメモリカードドライブ２０によりメモリカード１８に記憶させ、このメモリカード１８に記憶された画像を図示しないプリント装置によりプリントする。
【００８３】
このようにして、被撮影者８１〜８７の各自が順次最適なタイミング、例えば身だしなみを整え、最もよい表情で撮影できるタイミングでレリーズボタン７２を押下して撮影する。そして、撮影した画像から各被撮影者の部分画像を抽出して合成することにより、図５に示すような合成画像９２が得られる。
【００８４】
このように、被撮影者がそれぞれ最適なタイミングで撮影し、該撮影した各撮影画像から各被撮影者の部分画像を抽出して合成するため、被撮影者全員が満足する写真画像を得ることができる。また、自動的に合成写真を得ることができるため、撮影からプリントするまでの時間を短縮することができる。なお、撮影した画像をタッチパネルやモニタに表示し、被撮影者に部分画像を選択させるようにしてもよい。
［第３の実施の形態］
以下、図面を参照して第３の実施の形態を詳細に説明する。
【００８５】
第３の実施の形態では、図７に示すように、被撮影者８１〜８７の全員を撮影するデジタルカメラ１０Ａ、各被撮影者の顔の部分を撮影するデジタルカメラ１０Ｂ〜１０Ｈが設置されている。なお、デジタルカメラ１０Ａ〜１０Ｈについて、第１の実施の形態におけるデジタルカメラ１０と同一部分には同一符号を付し、その詳細な説明は省略する。
【００８６】
ここで、例えば、デジタルカメラ１０Ｂは被撮影者８１の顔部分を、デジタルカメラ１０Ｃは被撮影者８４の顔部分を、デジタルカメラ１０Ｄは被撮影者８２の顔部分を、デジタルカメラ１０Ｅは被撮影者８５の顔部分を、デジタルカメラ１０Ｆは被撮影者８６の顔部分を、デジタルカメラ１０Ｇは被撮影者８３の顔部分を、デジタルカメラ１０Ｈは被撮影者８７の顔部分をそれぞれ撮影する。
【００８７】
撮影した画像は、図８に示す写真画像形成装置３００で合成される。写真画像形成装置３００は、制御部３０２を備えている。制御部３０２には、画像合成部３０４、メモリ３０６、ディスプレイ３０８、キーボードやマウス等で構成された操作部３１０、メモリカードドライブ３１２が接続されている。
【００８８】
次に、第３の実施の形態の作用として、制御部３０２で実行される制御ルーチンについて図９を参照して説明する。
【００８９】
まず、被撮影者８１〜８７全員をデジタルカメラ１０Ａで撮影する。撮影した全体画像は、メモリカード１８Ａに記憶される。次にデジタルカメラ１０Ｂ〜１０Ｈにより被撮影者８１〜８７の顔部分を撮影する。撮影した部分画像はメモリカード１８Ｂ〜１８Ｈにそれぞれ記憶される。
【００９０】
そして、撮影者がメモリカード１８Ａを写真画像形成装置３００のメモリカードドライブ３１２にセットすると、写真画像形成装置３００の制御部３０２では、図９に示すステップ４００でメモリカード１８Ａから全体画像を取り込みメモリ３０６に記憶する。次にメモリカード１８Ｂがセットされると、メモリカード１８Ｂから被撮影者８１の顔部分の部分画像を取り込んでメモリ３０６に記憶する。以下同様にして全ての被撮影者の顔部分の部分画像を取りこむ。
【００９１】
次に、制御部３０２は、ステップ４０２でメモリ３０６に記憶された全体画像に被撮影者８１〜８７の顔部分の部分画像を合成する。この合成は、例えば自動的に行うことができる。具体的には、例えば予め被撮影者８１〜８７の立つ位置にマークをつけるなどして顔部分が必ず同じ位置にくるようにしておくと共に、顔部分が写る位置の位置データ、例えば座標値を予めメモリ３０６に記憶しておく。そして、部分画像を全体画像の前記座標値に対応する部分に順次合成していく。これにより自動的に合成することができる。
【００９２】
また、全体画像と合成したい顔部分の画像とをディスプレイ３０８に表示し、表示された画像を見ながら操作部３１０による操作で顔部分の画像を全体画像の合成したい位置に合成できるようにしてもよい。
【００９３】
そして、ステップ４０４で合成した画像をディスプレイ３０８に表示し、ステップ４０６で合成画像を画像処理部３０４に出力する。画像処理部３０４では、所定の画像処理、例えば赤目軽減処理等を行い合成画像を修正する。このとき、顔部分の解像度が高いため、精度よく補正することができる。また、操作部３１０を操作することにより、合成した顔部分の画像の位置を修正できるようにしてもよい。そして、ステップ４０８で合成した画像をメモリ３０６又はメモリカードドライブ３１２によりメモリカード１８に記録する。
【００９４】
このように、顔部分のみを高解像度で撮影することができるため、顔部分の画像の補正、例えば赤目軽減補正等の処理を精度よく行うことができる。また、各被撮影者を個々に撮影することができるため、全体の画像を固定にしておけば、例えば全員同じ時間に集合できないような場合でも、被撮影者全員が満足する写真画像を得ることができる。例えば、図１２（Ａ）、（Ｂ）に示すような集合時間に遅れてきて後から撮影したり、別の時に撮影したりした時の上半身や顔のアップの撮影画像から図１１に示すような顔の表情部分を抽出して合成することにより被撮影者全員が満足する写真画像を得ることができる。
【００９５】
【発明の効果】
以上説明したように、請求項１又は請求項４記載の発明によれば、集合した複数の被写体を撮影する場合においても、複数回撮影した撮影画像から各被写体にとって最適な画像を各々選択して合成することができるため、全体として最適な写真を得ることができる、という効果を有する。
【００９６】
請求項２又は請求項５記載の発明によれば、集合した複数の被写体を撮影する場合においても、各被写体がそれぞれ最適なタイミングで遠隔指示手段により撮影の指示をすることができるため、被撮影者全員が満足する写真を得ることができる、という効果を有する。
【００９７】
請求項３又は請求項６記載の発明によれば、集合した複数の被撮影者の全体と複数の被撮影者の顔部分とを各々撮影し、顔部分の部分画像を全体の画像の対応する部分に合成するので、赤目軽減補正等の補正処理を精度よく行うことができる、という効果を有する。
【図面の簡単な説明】
【図１】  第１の実施の形態に係るカメラのブロック図である。
【図２】  （Ａ）はカメラの外観図、（Ｂ）はカメラの背面図、（Ｃ）はリモコンの外観図である。
【図３】  タッチパネルによる操作を説明するための図である。
【図４】  第１の実施の形態における制御部で実行される制御ルーチンの流れを示すフローチャートである。
【図５】  画像合成を説明するための図である。
【図６】  第２の実施の形態における制御部で実行される制御ルーチンの流れを示すフローチャートである。
【図７】  第３の実施の形態における集合写真の撮影を説明するための図である。
【図８】  第３の実施の形態における写真画像形成装置の概略構成を示すブロック図である。
【図９】  第３の実施の形態における制御部で実行される制御ルーチンの流れを示すフローチャートである。
【図１０】  撮影画像の一部を示す図である。
【図１１】  顔の表情部分のみを抽出した部分画像を示す図である。
【図１２】  撮影画像の一例を示す図である。
【符号の説明】
１０    デジタルカメラ
１２    シャッタボタン（指示手段）
１４    レンズ
１６    ストロボ
１８    メモリカード
２０    メモリカードドライブ
２２    受光部
２４    制御部
２６    駆動回路
３２    シャッタ
３４    絞り
３６    撮像デバイス
５８    タッチパネル（表示手段、選択手段）
６０    画像処理部（合成手段）
７０    リモコン（遠隔指示手段）
７２    レリーズボタン
７６    投光部
【図１】
0003805145.tif 000002
【図２】
0003805145.tif 000003
【図３】
0003805145.tif 000004
【図４】
0003805145.tif 000005
【図５】
0003805145.tif 000006
【図６】
0003805145.tif 000007
【図７】
0003805145.tif 000008
【図８】
0003805145.tif 000009
【図９】
0003805145.tif 000010
【図１０】
0003805145.tif 000011
【図１１】
0003805145.tif 000012
【図１２】
0003805145.tif 000013